(57)【特許請求の範囲】
【請求項１】
建物開口部に固定される窓枠と、この窓枠に支持される室外面材と、この室外面材の室内側に沿って上下スライド自在に前記窓枠に支持される上部可動障子および下部可動障子とを備えた建具であって、
前記窓枠は、上枠、下枠および左右の縦枠を四周枠組みして構成され、前記上枠から下方に離隔しかつ前記下枠から上方に離隔して前記室外面材が支持されるとともに、これら上下の離隔部分のうち、上側の離隔部分の室内側を覆う閉鎖位置と当該離隔部分を開放する開放位置との間を前記上部可動障子が上下移動自在に設けられ、下側の離隔部分の室内側を覆う閉鎖位置と当該離隔部分を開放する開放位置との間を前記下部可動障子が上下移動自在に設けられ、
前記上部可動障子の前記閉鎖位置は、当該上部可動障子下部の内召合せ框が前記室外面材上部の外召合せ框の室内側に重なる位置であり、
前記上部可動障子の室外面と前記縦枠との間には、気密材が介挿され、
前記縦枠は、前記上部可動障子および下部可動障子を上下移動自在に案内する縦枠レールを備え、
前記縦枠レールの内部には、滑車と、この滑車に巻き回されて一端が前記上部可動障子に連結され他端が前記下部可動障子に連結された連結支持材とが設けられ、当該上部可動障子と下部可動障子とが互いに連動して上下移動可能に構成され、
前記滑車は、見込み方向において前記上部可動障子および下部可動障子と略同位置に配置されるとともに、前記縦枠の見付け方向に沿って延びる回転軸回りに回転可能に支持され、前記連結支持材の一端側が前記滑車の室外側から下方かつ室内方向に延びて前記上部可動障子に連結され、当該連結支持材の他端側が当該滑車の室内側から下方かつ室外方向に延びて前記下部可動障子に連結されている建具。
【請求項２】
前記上部可動障子および下部可動障子の各々の下端部には、前記縦枠レールに案内されるスライド部材が設けられ、当該上部可動障子のスライド部材に前記連結支持材の一端が連結され、当該下部可動障子のスライド部材に前記連結支持材の他端が連結されている請求項１に記載の建具。
【請求項３】
前記上部可動障子のスライド部材には、前記他端側の連結支持材を挿通させる挿通部が形成されている請求項２に記載の建具。
【発明の詳細な説明】
【技術分野】
【０００１】
本発明は、建具に関し、詳しくは、窓枠と、この窓枠内に支持された可動障子とを備えた上げ下げ窓等の建具に関する。
【背景技術】
【０００２】
住宅等の外壁開口部に設けられる建具として、上下スライド開閉自在な障子を備えた上げ下げ窓が知られている（例えば、特許文献１参照）。
特許文献１には、窓枠と、この窓枠に上下開閉可能に設けられた上部障子（外障子）および下部障子（内障子）とを備えた上げ下げ窓が開示されている。この上げ下げ窓では、室外側の上部障子と室内側の下部障子とが召合せ部で見込み方向に重なって閉鎖されるとともに、縦枠に設けられた滑車と、この滑車に巻き回されたワイヤとで吊り下げ支持されて上部障子と下部障子とが連動して開閉できるようになっている。
【０００３】
【特許文献１】特開２００３−１０６０５５号公報
【発明の開示】
【発明が解決しようとする課題】
【０００４】
しかしながら、従来の上げ下げ窓において、滑車は、縦枠における上部障子用のレールと下部障子用のレールとに跨って設けられ、つまり内外のレールを仕切る仕切り片を貫通して滑車が設けられているため、止水性や断熱性、気密性に不都合が生じる可能性がある。すなわち、通常、仕切り片には、縦気密材（止水材）が設けられ、この縦気密材と上部障子または下部障子とが摺接するように構成されるため、仕切り片を切り欠いて滑車を貫通させた場合には、その切り欠きを介して室内外の空間が連通されてしまうこととなる。このため、従来の上げ下げ窓では、切り欠き部分における止水や断熱、気密のために滑車の周囲を取り囲むような目板が縦枠に設けられ、縦枠の構造が複雑になったり部品点数が増加したりなどの問題もある。
【０００５】
本発明の目的は、構造の複雑化を招くことなく止水性や断熱性、気密性が確保でき、上下の障子を連動させることができる建具を提供することにある。
【課題を解決するための手段】
【０００６】
本発明の建具は、建物開口部に固定される窓枠と、この窓枠に支持される室外面材と、この室外面材の室内側に沿って上下スライド自在に前記窓枠に支持される上部可動障子および下部可動障子とを備えた建具であって、前記窓枠は、上枠、下枠および左右の縦枠を四周枠組みして構成され、前記上枠から下方に離隔しかつ前記下枠から上方に離隔して前記室外面材が支持されるとともに、これら上下の離隔部分のうち、上側の離隔部分の室内側を覆う閉鎖位置と当該離隔部分を開放する開放位置との間を前記上部可動障子が上下移動自在に設けられ、下側の離隔部分の室内側を覆う閉鎖位置と当該離隔部分を開放する開放位置との間を前記下部可動障子が上下移動自在に設けられ、前記上部可動障子の前記閉鎖位置は、当該上部可動障子下部の内召合せ框が前記室外面材上部の外召合せ框の室内側に重なる位置であり、前記上部可動障子の室外面と前記縦枠との間には、気密材が介挿され、前記縦枠は、前記上部可動障子および下部可動障子を上下移動自在に案内する縦枠レールを備え、前記縦枠レールの内部には、滑車と、この滑車に巻き回されて一端が前記上部可動障子に連結され他端が前記下部可動障子に連結された連結支持材とが設けられ、当該上部可動障子と下部可動障子とが互いに連動して上下移動可能に構成され、前記滑車は、見込み方向において前記上部可動障子および下部可動障子と略同位置に配置されるとともに、前記縦枠の見付け方向に沿って延びる回転軸回りに回転可能に支持され、前記連結支持材の一端側が前記滑車の室外側から下方かつ室内方向に延びて前記上部可動障子に連結され、当該連結支持材の他端側が当該滑車の室内側から下方かつ室外方向に延びて前記下部可動障子に連結されていることを特徴とする。
【０００７】
以上の本発明によれば、縦枠レールの内部に滑車および連結支持材を配置した、すなわち上部可動障子と下部可動障子とが略同一面内で上下移動し、この障子の移動面内に滑車および連結支持材を配置したことで、縦枠を室内外に貫通する位置に滑車を配置する必要
がなくなり、止水性や断熱性、気密性に問題が生じることがない。そして、縦枠を室内外に貫通しないので、貫通部を塞ぐための特別な構造を用いなくても止水や断熱、気密が確保でき、縦枠構造の複雑化や部品点数の増加を防止しつつ、上部可動障子と下部可動障子とを連動させて開閉可能に支持することができる。
また、連結支持材の一端側が滑車の室外側から下方かつ室内方向に延びて上部可動障子に連結されるので、上部可動障子の重量を支持する連結支持材の引張り力によって、上部可動障子を室外側に押し出す反力が作用する。従って、反力によって上部可動障子下部の内召合せ框が室外面材上部の外召合せ框に押し付けられ、召合せ部における止水性や断熱性、気密性を向上させることができる。また、上部可動障子の室外面と縦枠との間に気密材が介挿されているので、気密材の密接を高める方向に反力が作用し、止水性や断熱性、気密性をさらに向上させることができる。
【０００８】
この際、本発明の建具では、前記上部可動障子および下部可動障子の各々の下端部には、前記縦枠レールに案内されるスライド部材が設けられ、当該上部可動障子のスライド部材に前記連結支持材の一端が連結され、当該下部可動障子のスライド部材に前記連結支持材の他端が連結されていることが好ましい。
このような構成によれば、上部可動障子および下部可動障子の下端部に設けたスライド部材に連結支持材を連結したことで、上部可動障子および下部可動障子を内倒し可能に構成した場合でも連結支持材が邪魔になることがなく、支持構造を変更することなく内倒し機能が付加でき、内倒すことによって各障子室外面の清掃性が容易に確保できる。
【０００９】
さらに、本発明の建具では、前記上部可動障子のスライド部材には、前記他端側の連結支持材を挿通させる挿通部が形成されていることが好ましい。
このような構成によれば、下部可動障子のスライド部材に向かって延びる連結支持材の他端側が上部可動障子のスライド部材位置を通過する際に、このスライド部材の挿通部を連結支持材が通ることで、上部可動障子のスライド部材との干渉が回避できる。従って、障子が開閉移動する際に連結支持材とスライド部材とが引っ掛かることなく、円滑な開閉操作が実現できる。
【発明を実施するための最良の形態】
【００１２】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３および図４は、それぞれ上げ下げ窓１を示す横断面図であって、図３は、図１に矢視III−III線で示す断面図であり、図４は、図１に矢視IV−IV線で示す断面図である。図５は、上げ下げ窓１を室外側から見た分解斜視図である。
図１〜図５において、上げ下げ窓１は、戸建て住宅等の建物の外壁２における開口部に設けられて建物の室内空間と室外空間とを仕切るもので、下端位置が床面３と略同一高さ位置に設けられ、上端位置が天井面４と略同一高さ位置に設けられた窓である。
【００１３】
上げ下げ窓１は、上枠１１、下枠１２、および左右の縦枠１３を四周枠組みした窓枠１０と、この窓枠１０の内側に上下スライド開閉自在に支持された上部可動障子２０および下部可動障子３０とを備えて構成されている。窓枠１０は、外壁２開口部周辺の壁パネル等の建物躯体５に固定されている。上部可動障子２０および下部可動障子３０は、それぞれ上框２１，３１、下框２２，３２、および左右の縦框２３，３３を四周框組みした内部に、ガラスパネル（複層ガラス）２４，３４を嵌め込んで構成されている。
【００１４】
また、上部可動障子２０および下部可動障子３０の室外側における窓枠１０内部には、室外側面状体としての固定面材ユニット４０が取り付けられており、この固定面材ユニット４０は、上下左右の框材としての上框４１、下框４２、および左右の縦框４３を四周框組みした面状体枠としてのユニット枠４０Ａと、ユニット枠４０Ａの内部を上下に仕切る２本の中間框材としての上部中間框４４および下部中間框４５と、上下一対の通気面材としての上部通気面材４６および下部通気面材４７と、上部中間框４４および下部中間框４５の間に保持される室外面材（固定面材）としての固定ガラスパネル（複層ガラス）４８とを有して構成されている。また、固定面材ユニット４０における上部通気面材４６および下部通気面材４７の室内側には、それぞれ網戸４９が取り付けられている。上部通気面材４６および下部通気面材４７は、それぞれ左右の縦框４３に固定される樹脂製の端部取付部品４６１，４７１と、これらの端部取付部品４６１，４７１間に渡って設けられる複数の通気部材４６２，４７２とを有して構成され、上下に隣接する通気部材４６２，４７２同士の間に通気経路が形成されている。
【００１５】
窓枠１０の縦枠１３は、図３および図４に示すように、アルミ形材製の縦枠本体１３１と、この縦枠本体１３１の室内寄りに固定される樹脂製の縦枠レール部材１３２とを有して構成されている。縦枠本体１３１は、見込み方向に延びる見込み面部１３３と、この見込み面部１３３の見込み方向略中央から見付け方向内側に突出する突出片部１３４と、この突出片部１３４の室外側と見込み面部１３３とに渡る縦枠中空部１３５とを有して形成されている。縦枠レール部材１３２は、縦枠本体１３１の見込み面部１３３に沿ったレール見込み面部１３２Ａと、このレール見込み面部１３２Ａの室内側から見付け方向内側に延びるレール室内側面部１３２Ｂと、レール見込み面部１３２Ａの室外側から見付け方向内側に延びるレール室外側面部１３２Ｃとを有し、断面略コ字形で見付け方向内側に開口した開口１３２Ｄを有して形成されている。そして、縦枠レール部材１３２は、縦枠本体１３１の見込み面部１３３室内側端部および突出片部１３４先端部に係合されて縦枠本体１３１に取り付けられており、上部可動障子２０および下部可動障子３０を上下に案内可能に構成されている。
【００１６】
また、図３に示すように、上部可動障子２０および下部可動障子３０の開閉移動範囲を外れた高さ位置における縦枠レール部材１３２には、その開口部を覆う縦枠カバー部材１３６が取り付けられている。さらに、縦枠レール部材１３２には、図２および図５に示すように、開放した上部可動障子２０および下部可動障子３０の各々に当接し、当該障子を開放位置に停止させる障子ストッパー１３７が固定されている。これらの障子ストッパー１３７は、図３に示すストッパー固定金物１３７Ａを介して縦枠レール部材１３２に固定されており、これら上下の障子ストッパー１３７間に渡って縦枠カバー部材１３６が取り付けられている。
【００１７】
上部可動障子２０および下部可動障子３０は、それぞれ縦枠レール部材１３２に案内されて上下にスライド可能に支持されるとともに、上部可動障子２０および下部可動障子３０が同一面内で連動して開閉可能に設けられている。すなわち、上部可動障子２０および下部可動障子３０は、図４に示すように、それぞれの縦框２３，３３下端部位置にスライドシュー（スライド部材）２５，３５が回動軸２５Ａ，３５Ａを介して連結されるとともに、図３に示すように、縦框２３，３３上端部位置にラッチ装置２６，３６が取り付けられている。そして、スライドシュー２５，３５が縦枠レール部材１３２の開口内部に支持されるとともに、ラッチ装置２６，３６の係止部（不図示）が縦枠レール部材１３２に係止されることで、上部可動障子２０および下部可動障子３０が上下スライド開閉可能になっている。そして、上部可動障子２０および下部可動障子３０は、後述する滑車５０とワイヤ５１を介して互いに連結されるとともに吊り下げ支持されており、例えば下部可動障子３０を開放操作することで上部可動障子２０も開放され、下部可動障子３０を閉鎖操作することで上部可動障子２０も閉鎖されるように構成されている。また、上部可動障子２０および下部可動障子３０は、ラッチ装置２６，３６を操作して縦枠レール部材１３２との係止を解除することで、スライドシュー２５，３５の回動軸２５Ａ，３５Ａ回りに室内側に内倒し可能に構成されている。
【００１８】
以上の上部可動障子２０は、図２に示すように、その上框２１が上枠１１に当接するとともに、下框２２と固定面材ユニット４０の上部中間框４４とが見込み方向に重なって閉じられる（閉鎖位置）。また、上部可動障子２０は、下方にスライドされて上框２１が上部中間框４４の室内側に略重なるとともに、縦框２３の下端部（スライドシュー２５）が障子ストッパー１３７に当接する開放位置まで開放されるように構成されている。一方、下部可動障子３０は、その下框３２が下枠１２に当接するとともに、上框３１と固定面材ユニット４０の下部中間框４５とが見込み方向に重なって閉じられる（閉鎖位置）。この閉鎖位置において、下部可動障子３０の上框３１に設けたクレセント錠３７を操作して下部中間框４５の錠受けに３７Ａに係合させることで、下部可動障子３０と、これに連動する上部可動障子２０とが施錠できるようになっている。また、下部可動障子３０は、上方にスライドされて下框３２が下部中間框４５の室内側に略重なるとともに、縦框３３の上端部（ラッチ装置３６）が障子ストッパー１３７に当接する開放位置まで開放されるように構成されている。
【００１９】
次に、図６〜図８も参照して上げ下げ窓１における上部可動障子２０および下部可動障子３０の支持構造について説明する。
図６(Ａ)は、縦枠１３の側面図であり、図６(Ｂ)は、上げ下げ窓１の縦断面図である。図７は、上部可動障子２０の支持構造を示す側面図である。図８は、スライドシュー２５，３５を示す側面図、平面図および断面図である。図９は、支持構造の作用を説明する図である。
【００２０】
上部可動障子２０および下部可動障子３０を支持する滑車５０は、図６および図７に示すように縦枠１３の上端部近傍における縦枠レール部材１３２の内部に設けられている。滑車５０は、縦枠レール部材１３２のレール見込み面部１３２Ａに固定される滑車支持部材５０Ａに回転可能に支持され、その回転軸Ａは、縦枠１３の見付け方向に沿って延びるとともに、上部可動障子２０および下部可動障子３０の見込み方向略中央、つまりスライドシュー２５，３５の直上に位置して設けられている。この滑車５０には、連結支持材としてのワイヤ５１が巻き回されており、このワイヤ５１は、その一端が上部可動障子２０のスライドシュー２５に連結され、他端が下部可動障子３０のスライドシュー３５に連結されている。すなわち、滑車５０の室外側から下方に向かうワイヤ５１の一端側５１Ａが室内方向に延びてスライドシュー２５に連結され、滑車５０の室内側から下方に向かうワイヤ５１の他端側５１Ｂが室外方向に延びてスライドシュー３５に連結されている。
【００２１】
スライドシュー２５，３５は、図８に示すように、上部可動障子２０および下部可動障子３０の下端縁に連結される回動軸２５Ａ，３５Ａと、縦枠レール部材１３２の内部（レール見込み面部１３２Ａ、レール室内側面部１３２Ｂおよびレール室外側面部１３２Ｃで囲まれた内部）に案内されるスライドシュー本体２５Ｂ，３５Ｂと、このスライドシュー本体２５Ｂ，３５Ｂにワイヤ５１を連結する連結部材２５Ｃ，３５Ｃとを有して構成されている。回動軸２５Ａ，３５Ａは、それぞれ上部可動障子２０および下部可動障子３０の縦框２３，３３下端部および下框２２，３２下面に固定されるようになっている。また、スライドシュー本体２５Ｂ，３５Ｂの側面には、挿通部としての凹み部２５Ｄ，３５Ｄが形成されており、上部可動障子２０に取り付けられたスライドシュー２５の位置をワイヤ５１の他端側５１Ｂが通過する際に、この他端側５１Ｂを凹み部２５Ｄに挿通させ、他端側５１Ｂがスライドシュー本体２５Ｂに接触しないように構成されている。
【００２２】
このような支持構造において、ワイヤ５１によって上部可動障子２０および下部可動障子３０の重量を支持すると、図９に示すような力の釣り合いが生じる。すなわち、上部可動障子２０の重量を支持するワイヤ５１の一端側５１Ａに張力Ｆ１が作用し、下部可動障子３０の重量を支持するワイヤ５１の他端側５１Ｂにも張力Ｆ１が作用する。なお、上部可動障子２０および下部可動障子３０の重量はほぼ同一で、張力Ｆ１が釣り合っているものとする。この際、ワイヤ５１の一端側５１Ａは、滑車５０の室外側から下方に向かい室内方向に延びているため、上部可動障子２０には、張力Ｆ１の分力である反力Ｆ２が室外方向に作用する。一方、ワイヤ５１の他端側５１Ｂは、滑車５０の室内側から下方に向かい室外方向に延びているため、下部可動障子３０には、張力Ｆ１の分力である反力Ｆ３が室内方向に作用する。この反力Ｆ３は、ワイヤ５１の他端側５１Ｂの傾斜角度が一端側５１Ａに比べて小さいために、反力Ｆ２よりも小さくなっている。
【００２３】
以上のように比較的大きな反力Ｆ２が上部可動障子２０の下端部を室外側に押し出すように作用することで、上部可動障子２０の下框２２が固定面材ユニット４０の上部中間框４４に近づく方向に付勢されることとなる。すなわち、上部可動障子２０を閉じた際に、下框２２で内召合せ框が構成され、上部中間框４４で外召合せ框が構成されることになるが、この召合せ部において、内外の召合せ框同士を引き寄せる方向に反力Ｆ２が作用する。また、上部可動障子２０の縦框２３と縦枠レール部材１３２のレール室外側面部１３２Ｃとが互いに近づく方向に付勢されることで、縦框２３の室外面に取り付けられた気密材２３Ａ（図４）がレール室外側面部１３２Ｃに密接されるようになっている。
【００２４】
このような本実施形態によれば、以下のような効果がある。
（１）すなわち、上部可動障子２０および下部可動障子３０の移動面内である縦枠レール部材１３２の内部に滑車５０およびワイヤ５１を配置したことで、縦枠１３における縦枠本体１３１の突出片部１３４や縦枠レール部材１３２のレール室外側面部１３２Ｃを室内外に貫通する必要がなくなり、止水性や断熱性、気密性に問題が生じることがない。そして、縦枠１３を室内外に貫通しないので、貫通部を塞ぐための特別な構造が不要にでき、縦枠１３の構造が複雑化することや部品点数の増加を防止しつつ、上部可動障子２０と下部可動障子３０とを連動させて開閉可能に支持することができる。
【００２５】
（２）さらに、上部可動障子２０と下部可動障子３０とが連動して開閉可能に支持されているので、下部可動障子３０のみを開閉操作すれば上部可動障子２０も開閉されることになり、手が届きにくい高さ位置に上部可動障子２０が設けられていたとしても、その開閉を容易に実施することができ、利便性を向上させることができる。また、上部可動障子２０および下部可動障子３０のスライドシュー２５，３５にワイヤ５１が連結されているので、上部可動障子２０および下部可動障子３０を内倒す際にワイヤ５１が邪魔になることがなく、内倒し操作が円滑にでき、これにより各障子室外面を容易に清掃することができる。
【００２６】
（３）また、スライドシュー２５，３５に凹み部２５Ｄ，３５Ｄが形成されているので、上部可動障子２０のスライドシュー２５と、下部可動障子３０に向かうワイヤ５１の他端側５１Ｂとが干渉せず、障子の開閉移動の際にワイヤ５１とスライドシュー２５とが引っ掛かることなく、円滑な開閉操作が実現できる。
【００２７】
（４）また、ワイヤ５１の一端側５１Ａの張力Ｆ１によって上部可動障子２０の下框２２（内召合せ框）を固定面材ユニット４０の上部中間框４４（外召合せ框）押し付ける反力Ｆ２が作用するので、召合せ部における止水性や断熱性、気密性を向上させることができる。さらに、反力Ｆ２によって上部可動障子２０の縦框２３の気密材２３Ａが縦枠レール部材１３２のレール室外側面部１３２Ｃに密接されるので、上部可動障子２０における止水性能などを一層向上させることができる。
【００２８】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の可動障子（上部可動障子２０および下部可動障子３０）を有して構成されていたが、これに限らず、３枚以上の可動障子を有して構成されていてもよい。また、上部可動障子２０および下部可動障子３０の室外側に設けられる室外面材としては、前記実施形態のような固定面材ユニット４０に設けられた固定ガラスパネル４８に限らず、窓枠１０に固定された固定パネルや固定障子であってもよく、また窓枠１０に上下開閉移動可能に支持された室外可動障子であってもよい。さらに、室外面材は、窓枠１０に支持されて室外側に開閉可能な開き形式あるいは突出し形式の障子であってもよい。
【００２９】
また、前記実施形態では、滑車５０に巻き回されたワイヤ５１は、その一端側５１Ａが滑車５０の室外側から下方かつ室内方向に延びて上部可動障子２０のスライドシュー２５に連結され、ワイヤ５１の他端側５１Ｂが滑車５０の室内側から下方かつ室外方向に延びて下部可動障子３０のスライドシュー３５に連結されていたが、次の図１０、図１１に示すように、前記実施形態とは逆向きにワイヤ５１が巻き回されていてもよい。
すなわち図１０および図１１において、ワイヤ５１は、滑車５０の室内側から下方に向かうとともに室外方向に延びるワイヤ５１の一端側５１Ａが上部可動障子２０のスライドシュー２５に連結され、滑車５０の室外側から下方に向かうとともに室内方向に延びるワイヤ５１の他端側５１Ｂが下部可動障子３０のスライドシュー３５に連結されている。
【００３０】
このようにワイヤ５１が巻き回されていれば、ワイヤ５１の一端側５１Ａに張力Ｆ１が作用すると、上部可動障子２０には、反力Ｆ２が室内方向に向かって作用する。一方、ワイヤ５１の他端側５１Ｂに張力Ｆ１が作用すると、下部可動障子３０には、反力Ｆ３が室内方向に向かって作用する。従って、反力Ｆ２が上部可動障子２０の下端部を室内側に引き込むように作用することで、上部可動障子２０が縦枠レール部材１３２のレール室外側面部１３２Ｃから離れる方向に付勢される。このため、縦框２３の室外面に取り付けられた気密材２３Ａとレール室外側面部１３２Ｃとの密接が緩くなり、上部可動障子２０の開閉時の摺動抵抗が小さくできるようになっている。
以上のように、滑車５０に対してワイヤ５１を巻き回す方向によって、前記実施形態のように止水性能を向上させるか、逆に摺動抵抗を小さくして操作性を向上させるかは、建具の設置場所や各障子の大きさなどに応じて選択可能となり、建具の設計上の自由度を向上させることができる。
【００３１】
また、前記実施形態では、上部可動障子２０および下部可動障子３０を内倒し可能に構成したが、これに限らず、上部可動障子２０および下部可動障子３０が上下スライド開閉のみ可能で、内倒し不能に構成されていてもよい。すなわち、本発明の建具が室外側から清掃可能な位置に設置される場合には、必ずしも各障子を内倒し可能に構成する必要はなく、ラッチ装置２６，３６を省略し、上部可動障子２０および下部可動障子３０を縦枠レール部材１３２に対して係脱不能に支持させてもよい。また、上部可動障子２０のみを内倒し可能に構成したり、下部可動障子３０のみを内倒し可能に構成したりすることも可能である。
【００３２】
また、前記実施形態では、上部可動障子２０および下部可動障子３０の縦框２３（３３）側に気密材２３Ａを取付けて縦枠１３に当接させていたが、縦枠１３側に気密材２３Ａを取付けてもよいし、両方に取付けてもよい。これと同様に、召合せ框部分（上部可動障子２０の下框２２、固定面材ユニット４０の上部中間框４４、下部中間框４５、下部可動障子３０の上框３１）においても、気密材の取付け箇所を適宜設定してもよい。
また、スライドシュー２５，３５に凹み部２５Ｄ，３５Ｄを形成し、上部可動障子２０のスライドシュー２５と、下部可動障子３０に向かうワイヤ５１の他端側５１Ｂとの干渉を避けた構造としたが、これはワイヤ５１とスライドシュー２５とが全く接触しない構造としてもよいし、若干接触して可動障子を上下スライドする際にワイヤ５１とスライドシュー２５とが摺接する構造としてもよい。つまり、スライドシュー２５のスライドに対してワイヤ５１が及ぼす影響が軽減できるような手段であれば、凹み部２５Ｄ，３５Ｄに限らず、任意の構成が採用可能である。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３４】
【図１】本発明の実施形態に係る建具を室外側から見た正面図である。
【図２】前記建具を示す縦断面図である。
【図３】前記建具を示す横断面図である。
【図４】前記建具を示す横断面図である。
【図５】前記建具を室外側から見た分解斜視図である。
【図６】(Ａ)，(Ｂ)は、それぞれ前記縦枠の側面図および建具の断面図である。
【図７】前記建具における可動障子の支持構造を示す側面図である。
【図８】前記可動障子に設けられるスライド部材を示す側面図、平面図および断面図である。
【図９】前記可動障子の支持構造の作用を説明する図である。
【図１０】本発明の変形例に係る建具を示す側面図および断面図である。
【図１１】前記変形例における可動障子の支持構造を示す側面図である。
【符号の説明】
【００３５】
１…上げ下げ窓（建具）、１０…窓枠、１１…上枠、１２…下枠、１３…縦枠、２０…上部可動障子、３０…下部可動障子、２５，３５…スライドシュー（スライド部材）、２５Ｄ，３５Ｄ…凹み部（挿通部）、４８…固定ガラスパネル（室外面材）、５０…滑車、５１…ワイヤ（連結支持材）、５１Ａ…一端側、５１Ｂ…他端側、Ａ…回転軸。
【図１】
0004928423.tif 000002
【図２】
0004928423.tif 000003
【図３】
0004928423.tif 000004
【図４】
0004928423.tif 000005
【図５】
0004928423.tif 000006
【図６】
0004928423.tif 000007
【図７】
0004928423.tif 000008
【図８】
0004928423.tif 000009
【図９】
0004928423.tif 000010
【図１０】
0004928423.tif 000011
【図１１】
0004928423.tif 000012